(57)【要約】【課題】使用するアプリケーション等の運用上の制約に縛られることなく、１つのＡＰ内で仮想ＡＰ毎に柔軟にＱｏＳ制御を行う。【解決手段】無線ＬＡＮシステムは、無線ＬＡＮの利用者端末２０と有線ネットワークとの間を中継する１つの物理的なＡＰを複数の論理的なＡＰである仮想ＡＰ１１として運用可能なＡＰ１０を備える。ＡＰ１０は、１つの物理的なＡＰに対応するシステムＱｏＳレベル情報と、各仮想ＡＰ１１に対応する複数のＱｏＳレベル情報とをＱｏＳカテゴリ毎に設定するＱｏＳレベル設定テーブルと、各仮想ＡＰ１１のうち対象とする仮想ＡＰ１１で送受信されるデータに対し、要求されるＱｏＳカテゴリとＱｏＳレベル設定テーブルとに基づいて、システムＱｏＳレベル情報と、対象とする仮想アクセスポイントのＱｏＳレベル情報とを比較し、その比較結果に応じてＱｏＳ制御内容を決定する主処理部とを備える。【選択図】図１
2007266942.tif 000002
【特許請求の範囲】
【請求項１】
無線ＬＡＮと有線ネットワークとの間を中継する１つの物理的なアクセスポイントを複数の論理的なアクセスポイントである仮想アクセスポイントとして運用可能なアクセスポイントを備えた無線ＬＡＮシステムであって、
前記アクセスポイントは、
前記無線ＬＡＮとの間で前記仮想アクセスポイント毎にデータを送受信する無線インタフェース手段と、
前記有線ネットワークとの間で前記仮想アクセスポイント毎にデータを送受信する有線インタフェース手段と、
前記１つの物理的なアクセスポイントに対応するシステムＱｏＳレベル情報と、前記複数の仮想アクセスポイントに対応する複数のＱｏＳレベル情報とを、ＱｏＳ制御内容を識別するＱｏＳカテゴリ毎に設定するＱｏＳレベル設定テーブルと、
前記無線ＬＡＮと前記有線ネットワークとの間で、前記無線インタフェース手段と前記有線インタフェース手段とを介して前記複数の仮想アクセスポイントのうち対象とする仮想アクセスポイントで送受信されるデータに対し、要求される前記ＱｏＳカテゴリと前記ＱｏＳレベル設定テーブルとに基づいて、前記システムＱｏＳレベル情報と、前記対象とする仮想アクセスポイントのＱｏＳレベル情報とを比較し、その比較結果に応じてＱｏＳ制御内容を決定するＱｏＳ制御決定手段とを備えたことを特徴とする無線ＬＡＮシステム。
【請求項２】
前記ＱｏＳレベル設定テーブルは、前記システムＱｏＳレベル情報と前記複数の仮想アクセスポイントのＱｏＳレベル情報との少なくとも１つを運用中に変更可能に構成されていることを特徴とする請求項１記載の無線ＬＡＮシステム。
【請求項３】
前記ＱｏＳレベル設定テーブルは、前記アクセスポイントの機器動作状態及び時間帯の少なくとも１つに応じて、前記システムＱｏＳレベル情報と前記複数の仮想アクセスポイントのＱｏＳレベル情報との少なくとも１つを変更可能に構成されていることを特徴とする請求項２記載の無線ＬＡＮシステム。
【請求項４】
前記ＱｏＳ制御決定手段は、前記無線インタフェース手段を介して前記無線ＬＡＮの利用者端末からのＱｏＳ提供の要求を受けると、その要求に対応するＱｏＳカテゴリと前記ＱｏＳレベル設定テーブルとに基づいて、前記システムＱｏＳレベル情報と前記対象とする仮想アクセスポイントのＱｏＳレベル情報とを比較し、その比較結果に応じて前記ＱｏＳ提供の可否を決定することを特徴とする請求項１乃至３のいずれか１項に記載の無線ＬＡＮシステム。
【請求項５】
前記ＱｏＳ制御決定手段は、前記有線インタフェース手段を介して前記有線インタフェースからデータを受信すると、そのデータに含まれる所定のＱｏＳ情報で決まるＱｏＳカテゴリと前記ＱｏＳレベル設定テーブルとに基づいて、前記システムＱｏＳレベル情報と前記対象とする仮想アクセスポイントのＱｏＳレベル情報とを比較し、その比較結果に応じて前記要求されるＱｏＳカテゴリによるＱｏＳ制御の可否を決定することを特徴とする請求項１乃至４のいずれか１項に記載の無線ＬＡＮシステム。
【請求項６】
前記ＱｏＳ制御決定手段は、前記システムＱｏＳレベル情報に対応する第１のレベル値と前記対象とする仮想アクセスポイントのＱｏＳレベル情報に対応する第２のレベル値との大小を比較し、前記第２のレベル値が前記第１のレベル値以上のときに前記要求されるＱｏＳカテゴリによるＱｏＳ制御を許可することを特徴とする請求項１乃至５のいずれか１項に記載の無線ＬＡＮシステム。
【請求項７】
前記ＱｏＳ制御決定手段は、前記無線ＬＡＮの利用者端末の識別情報と前記複数の仮想アクセスポイントの識別情報との対応関係が予め設定された対応テーブルに基づいて、前記無線インタフェース手段を介して前記無線ＬＡＮの利用者端末から送られてくるデータから、前記複数の仮想アクセスポイントのうち対象とする仮想ネットワークを特定することを特徴とする請求項１乃至６のいずれか１項に記載の無線ＬＡＮシステム。
【請求項８】
前記対応テーブルは、前記利用者端末のＭＡＣアドレスに対応するＳＳＩＤと、前記複数の仮想アクセスポイントの識別情報とを対応付けるものである請求項７記載の無線ＬＡＮシステム。
【請求項９】
前記ＱｏＳ制御決定手段は、前記有線ネットワーク内に仮想的に構成された複数の仮想ＬＡＮと、前記複数の仮想アクセスポイントとの対応関係が予め設定された対応テーブルに基づいて、前記有線インタフェース手段を介して前記有線ネットワークから前記仮想ＬＡＮ毎に送られてくるデータから、前記複数の仮想アクセスポイントのうち対象とする仮想ネットワークを特定することを特徴とする請求項１乃至８のいずれか１項に記載の無線ＬＡＮシステム。
【請求項１０】
前記対応テーブルは、前記複数の仮想ＬＡＮのタグＩＤと、前記複数の仮想アクセスポイントの識別情報とを対応付けるものであることを特徴とする請求項９記載の無線ＬＡＮシステム。
【請求項１１】
前記ＱｏＳレベル設定テーブルは、ＩＥＥＥ８０２．１１ｅに準拠したＶＯＩＣＥ及びＶＩＤＥＯを含むＱｏＳカテゴリ別に設定されることを特徴とする請求項１乃至１０のいずれか１項に記載の無線ＬＡＮシステム。
【請求項１２】
無線ＬＡＮと有線ネットワークとの間を中継する１つの物理的なアクセスポイントを複数の論理的なアクセスポイントである仮想アクセスポイントとして運用可能なアクセスポイントであって、
前記無線ＬＡＮとの間で前記仮想アクセスポイント毎にデータを送受信する無線インタフェース手段と、
前記有線ネットワークとの間で前記仮想アクセスポイント毎にデータを送受信する有線インタフェース手段と、
前記１つの物理的なアクセスポイントに対応するシステムＱｏＳレベル情報と、前記複数の仮想アクセスポイントに対応する複数のＱｏＳレベル情報とを、ＱｏＳ制御内容を識別するＱｏＳカテゴリ毎に設定するＱｏＳレベル設定テーブルと、
前記無線ＬＡＮと前記有線ネットワークとの間で、前記無線インタフェース手段と前記有線インタフェース手段とを介して前記複数の仮想アクセスポイントのうち対象とする仮想アクセスポイントで送受信されるデータに対し、要求される前記ＱｏＳカテゴリと前記ＱｏＳレベル設定テーブルとに基づいて、前記システムＱｏＳレベル情報と、前記対象とする仮想アクセスポイントのＱｏＳレベル情報とを比較し、その比較結果に応じてＱｏＳ制御内容を決定するＱｏＳ制御決定手段とを備えたことを特徴とするアクセスポイント。
【請求項１３】
前記ＱｏＳレベル設定テーブルは、前記システムＱｏＳレベル情報と前記複数の仮想アクセスポイントのＱｏＳレベル情報との少なくとも１つを運用中に変更可能に構成されていることを特徴とする請求項１１記載のアクセスポイント。
【請求項１４】
前記ＱｏＳレベル設定テーブルは、前記アクセスポイントの機器動作状態及び時間帯の少なくとも１つに応じて、前記システムＱｏＳレベル情報と前記複数の仮想アクセスポイントのＱｏＳレベル情報との少なくとも１つを変更可能に構成されていることを特徴とする請求項１２記載のアクセスポイント。
【請求項１５】
無線ＬＡＮと有線ネットワークとの間を中継する１つの物理的なアクセスポイントを複数の論理的なアクセスポイントである仮想アクセスポイントとして運用可能なアクセスポイントを備え、前記アクセスポイントが前記無線ＬＡＮとの間で前記仮想アクセスポイント毎にデータを送受信する無線インタフェース手段と、前記有線ネットワークとの間で前記仮想アクセスポイント毎にデータを送受信する有線インタフェース手段とを有する無線ＬＡＮシステムのＱｏＳ制御方法であって、
前記１つの物理的なアクセスポイントに対応するシステムＱｏＳレベル情報と、前記複数の仮想アクセスポイントに対応する複数のＱｏＳレベル情報とを、ＱｏＳ制御内容を識別するＱｏＳカテゴリ毎にＱｏＳレベル設定テーブルに設定するステップと、
前記無線ＬＡＮと前記有線ネットワークとの間で、前記無線インタフェース手段と前記有線インタフェース手段とを介して前記複数の仮想アクセスポイントのうち対象とする仮想アクセスポイントで送受信されるデータに対し、要求される前記ＱｏＳカテゴリと前記ＱｏＳレベル設定テーブルとに基づいて、前記システムＱｏＳレベル情報と、前記対象とする仮想アクセスポイントのＱｏＳレベル情報とを比較し、その比較結果に応じてＱｏＳ制御内容を決定するＱｏＳ制御決定ステップとを備えたことを特徴とする無線ＬＡＮシステムのＱｏＳ制御方法。
【請求項１６】
前記ＱｏＳレベル設定テーブルは、前記システムＱｏＳレベル情報と前記複数の仮想アクセスポイントのＱｏＳレベル情報との少なくとも１つを運用中に変更可能に構成されていることを特徴とする請求項１５記載の無線ＬＡＮシステムのＱｏＳ制御方法。
【請求項１７】
前記ＱｏＳレベル設定テーブルは、前記アクセスポイントの機器動作状態及び時間帯の少なくとも１つに応じて、前記システムＱｏＳレベル情報と前記複数の仮想アクセスポイントのＱｏＳレベル情報との少なくとも１つを変更可能に構成されていることを特徴とする請求項１６記載の無線ＬＡＮシステムのＱｏＳ制御方法。
【請求項１８】
前記ＱｏＳ制御決定ステップは、
前記無線ＬＡＮの利用者端末の識別情報と前記複数の仮想アクセスポイントの識別情報との対応関係が予め設定された対応テーブルに基づいて、前記無線インタフェース手段を介して前記無線ＬＡＮの利用者端末から送られてくるデータから、前記複数の仮想アクセスポイントのうち対象とする仮想ネットワークを特定するステップと、
前記無線インタフェース手段を介して前記無線ＬＡＮの利用者端末からのＱｏＳ提供の要求を受けると、その要求に対応するＱｏＳカテゴリと前記ＱｏＳレベル設定テーブルとに基づいて、前記システムＱｏＳレベル情報と前記対象とする仮想アクセスポイントのＱｏＳレベル情報とを比較し、その比較結果に応じて前記ＱｏＳ提供の可否を決定するステップとを有することを特徴とする請求項１５乃至１７のいずれか１項に記載の無線ＬＡＮシステムのＱｏＳ制御方法。
【請求項１９】
前記ＱｏＳ制御決定ステップは、
前記有線ネットワークに仮想的に構成された複数の仮想ＬＡＮと、前記複数の仮想アクセスポイントとの対応関係が予め設定された対応テーブルに基づいて、前記有線インタフェース手段を介して前記有線ネットワークから前記仮想ＬＡＮ毎に送られてくるデータから、前記複数の仮想アクセスポイントのうち対象とする仮想ネットワークを特定するステップと、
前記有線インタフェース手段を介して前記有線インタフェースからデータを受信すると、そのデータに含まれる所定のＱｏＳ情報で決まるＱｏＳカテゴリと前記ＱｏＳレベル設定テーブルとに基づいて、前記システムＱｏＳレベル情報と前記対象とする仮想アクセスポイントのＱｏＳレベル情報とを比較し、その比較結果に応じて前記要求されるＱｏＳカテゴリによるＱｏＳ制御の可否を決定するステップとを有することを特徴とする請求項１５乃至１８のいずれか１項に記載の無線ＬＡＮシステムのＱｏＳ制御方法。
【請求項２０】
前記ＱｏＳ制御決定ステップは、前記システムＱｏＳレベル情報に対応する第１のレベル値と前記対象とする仮想アクセスポイントのＱｏＳレベル情報に対応する第２のレベル値との大小を比較し、前記第２のレベル値が前記第１のレベル値以上のときに前記要求されるＱｏＳカテゴリによるＱｏＳ制御を許可するステップを有することを特徴とする請求項１５乃至１９のいずれか１項に記載の無線ＬＡＮシステムのＱｏＳ制御方法。
【発明の詳細な説明】
【技術分野】
【０００１】
本発明は、無線ＬＡＮシステム、そのＱｏＳ制御方法、及び無線ＬＡＮアクセスポイントに係り、特に１つの物理的なＡＰ（アクセスポイント）を複数の論理的なＡＰである仮想ＡＰとして運用可能な仮想ＡＰ機能を有する無線ＬＡＮシステムのＱｏＳ制御に関する。
【背景技術】
【０００２】
無線ＬＡＮ（Local Area Network）システムは、機器の低価格化とともに急速に普及してきており、今後は無線ＶｏＩＰ（Voice over Internet Protocol）端末によって活用場面がさらに増大すると期待されている。この時問題となるのは、通話品質の保証である。この品質を保証するために規格化されたのがＩＥＥＥ８０２．１１ｅであり、その仕様のうち、製品に広く適用されているものがＷｉＦｉアライアンス（ＷＦＡ）で規定されたＷＭＭ（Wi-Fi Multimedia）仕様である。
【０００３】
ＷＭＭ仕様は、無線送信するデータのＱｏＳ（Quality of Service）情報に応じて送信キューを分けるとともに、ＣＳＭＡ／ＣＡ（Carrier Sense Multiple Access / Contention Avoidance）手順のパラメータを変更することで優先制御を行う。また、ＷＦＡで検討中の仕様としては、端末がアプリケーションの起動等によってＱｏＳ提供が必要な場合に要求を送信し、それを受信したＡＰ（アクセスポイント）で受付可否を判断を行うアドミッション制御がある。
【０００４】
ＩＥＥＥ８０２．１１ｅやＷＭＭの仕様では、データのＱｏＳ情報は、ＩＰ（Internet Protocol）ヘッダのＴｏＳ（Type of Service）フィールドやＩＥＥＥ８０２．１Ｑヘッダ中のＶＬＡＮ（Virtual LAN）ヘッダのプライオリティフィールドを使用し、ＷＭＭのＱｏＳカテゴリに対応付けてマッピングされている。このマッピングの例を図１０に示す。
【０００５】
図１０に示すＱｏＳ情報とＱｏＳカテゴリとの対応情報２ｄでは、データのＱｏＳ情報、すなわちＩＰヘッダのＴｏＳフィールドにおけるＴｏＳ情報と、ＩＥＥＥ８０２．１ＱヘッダのＶＬＡＮヘッダのプライオリティフィールドにおけるＣｏＳ（Class of Service）情報とが、ＷＭＭのＱｏＳカテゴリ、すなわち４つのＡＣ（Access Category）、すなわちＡＣ＿ＶＯ（ＶＯＩＣＥ）、ＡＣ＿ＶＩ（ＶＩＤＥＯ）、ＡＣ＿ＢＥ（ＢＥＳＴ  ＥＦＦＯＲＴ）、ＡＣ＿ＢＫ（ＢＡＣＫＧＲＯＵＮＤ）にマッピングされている。このうち、音声伝送用のＡＣ＿ＶＯに最高の優先順位が与えられ、ＡＣ＿ＶＩ、ＡＣ＿ＢＥ、ＡＣ＿ＢＫの順に優先順位が低くなっている。
【０００６】
一方、１つのＡＰを複数の事業者で共有することで、設置スペースや敷設コストの増大を低減しつつ無線ＬＡＮのカバーエリアを広げる方法として注目されているのが仮想ＡＰ機能である。
【０００７】
なお、無線ＬＡＮのＱｏＳ制御に関する先行技術では、特許文献１では、端末ユーザ毎にＱｏＳを識別して提供する方法が記述されている。また、特許文献２では、仮想ＡＰ構成でＱｏＳ提供の受付制御を行うシステムが記述されている。
【特許文献１】特開２００４−１７９８８２号公報
【特許文献２】特開２００５−３５４４２３号公報
【発明の開示】
【発明が解決しようとする課題】
【０００８】
しかしながら、特許文献１では、端末ユーザ毎にＱｏＳを識別して提供する方法が記述されているが、ＡＰ内の制御については言及していない。また、特許文献２では、仮想ＡＰ構成でＱｏＳ提供の受付制御を行うシステムが記述されているが、ＳＩＰ（Session Initiation Protocol）を使用する場合のみに言及している。従って、これらの先行技術では、使用するアプリケーションが限定される等の運用上の制約があり、１つのＡＰ内で仮想ＡＰ毎に柔軟なＱｏＳ提供を行うのが困難であり、その対策が望まれている。
【０００９】
本発明は、このような従来の事情を考慮してなされたもので、使用するアプリケーション等の運用上の制約に縛られることなく、１つのＡＰ内で仮想ＡＰ毎に柔軟にＱｏＳ制御を行う無線ＬＡＮシステム及びそのＱｏＳ制御方法を提供することを目的とする。
【課題を解決するための手段】
【００１０】
上記目的を達成するため、本発明に係る無線ＬＡＮシステムは、無線ＬＡＮと有線ネットワークとの間を中継する１つの物理的なアクセスポイントを複数の論理的なアクセスポイントである仮想アクセスポイントとして運用可能なアクセスポイントを備えた無線ＬＡＮシステムであって、前記アクセスポイントは、前記無線ＬＡＮとの間で前記仮想アクセスポイント毎にデータを送受信する無線インタフェース手段と、前記有線ネットワークとの間で前記仮想アクセスポイント毎にデータを送受信する有線インタフェース手段と、前記１つの物理的なアクセスポイントに対応するシステムＱｏＳレベル情報と、前記複数の仮想アクセスポイントに対応する複数のＱｏＳレベル情報とを、ＱｏＳ制御内容を識別するＱｏＳカテゴリ毎に設定するＱｏＳレベル設定テーブルと、前記無線ＬＡＮと前記有線ネットワークとの間で、前記無線インタフェース手段と前記有線インタフェース手段とを介して前記複数の仮想アクセスポイントのうち対象とする仮想アクセスポイントで送受信されるデータに対し、要求される前記ＱｏＳカテゴリと前記ＱｏＳレベル設定テーブルとに基づいて、前記システムＱｏＳレベル情報と、前記対象とする仮想アクセスポイントのＱｏＳレベル情報とを比較し、その比較結果に応じてＱｏＳ制御内容を決定するＱｏＳ制御決定手段とを備えたことを特徴とする。
【００１１】
本発明において、前記ＱｏＳレベル設定テーブルは、前記システムＱｏＳレベル情報と前記複数の仮想アクセスポイントのＱｏＳレベル情報との少なくとも１つを運用中に変更可能に構成されていてもよい。前記ＱｏＳレベル設定テーブルは、前記アクセスポイントの機器動作状態及び時間帯の少なくとも１つに応じて、前記システムＱｏＳレベル情報と前記複数の仮想アクセスポイントのＱｏＳレベル情報との少なくとも１つを変更可能に構成されていてもよい。
【００１２】
本発明において、前記ＱｏＳ制御決定手段は、前記無線インタフェース手段を介して前記無線ＬＡＮの利用者端末からのＱｏＳ提供の要求を受けると、その要求に対応するＱｏＳカテゴリと前記ＱｏＳレベル設定テーブルとに基づいて、前記システムＱｏＳレベル情報と前記対象とする仮想アクセスポイントのＱｏＳレベル情報とを比較し、その比較結果に応じて前記ＱｏＳ提供の可否を決定してもよい。
【００１３】
前記ＱｏＳ制御決定手段は、前記有線インタフェース手段を介して前記有線インタフェースからデータを受信すると、そのデータに含まれる所定のＱｏＳ情報で決まるＱｏＳカテゴリと前記ＱｏＳレベル設定テーブルとに基づいて、前記システムＱｏＳレベル情報と前記対象とする仮想アクセスポイントのＱｏＳレベル情報とを比較し、その比較結果に応じて前記要求されるＱｏＳカテゴリによるＱｏＳ制御の可否を決定してもよい。
【００１４】
前記ＱｏＳ制御決定手段は、前記システムＱｏＳレベル情報に対応する第１のレベル値と前記対象とする仮想アクセスポイントのＱｏＳレベル情報に対応する第２のレベル値との大小を比較し、前記第２のレベル値が前記第１のレベル値以上のときに前記要求されるＱｏＳカテゴリによるＱｏＳ制御を許可してもよい。
【００１５】
前記ＱｏＳ制御決定手段は、前記無線ＬＡＮの利用者端末の識別情報と前記複数の仮想アクセスポイントの識別情報との対応関係が予め設定された対応テーブルに基づいて、前記無線インタフェース手段を介して前記無線ＬＡＮの利用者端末から送られてくるデータから、前記複数の仮想アクセスポイントのうち対象とする仮想ネットワークを特定してもよい。前記対応テーブルは、前記利用者端末のＭＡＣアドレスに対応するＳＳＩＤと、前記複数の仮想アクセスポイントの識別情報とを対応付けるものであってもよい。
【００１６】
前記ＱｏＳ制御決定手段は、前記有線ネットワーク内に仮想的に構成された複数の仮想ＬＡＮと、前記複数の仮想アクセスポイントとの対応関係が予め設定された対応テーブルに基づいて、前記有線インタフェース手段を介して前記有線ネットワークから前記仮想ＬＡＮ毎に送られてくるデータから、前記複数の仮想アクセスポイントのうち対象とする仮想ネットワークを特定してもよい。前記対応テーブルは、前記複数の仮想ＬＡＮのタグＩＤと、前記複数の仮想アクセスポイントの識別情報とを対応付けるものであってもよい。
【００１７】
前記ＱｏＳレベル設定テーブルは、ＩＥＥＥ８０２．１１ｅに準拠したＶＯＩＣＥ及びＶＩＤＥＯを含むＱｏＳカテゴリ別に設定されてもよい。
【００１８】
本発明に係るアクセスポイントは、無線ＬＡＮと有線ネットワークとの間を中継する１つの物理的なアクセスポイントを複数の論理的なアクセスポイントである仮想アクセスポイントとして運用可能なアクセスポイントであって、前記無線ＬＡＮとの間で前記仮想アクセスポイント毎にデータを送受信する無線インタフェース手段と、前記有線ネットワークとの間で前記仮想アクセスポイント毎にデータを送受信する有線インタフェース手段と、前記１つの物理的なアクセスポイントに対応するシステムＱｏＳレベル情報と、前記複数の仮想アクセスポイントに対応する複数のＱｏＳレベル情報とを、ＱｏＳ制御内容を識別するＱｏＳカテゴリ毎に設定するＱｏＳレベル設定テーブルと、前記無線ＬＡＮと前記有線ネットワークとの間で、前記無線インタフェース手段と前記有線インタフェース手段とを介して前記複数の仮想アクセスポイントのうち対象とする仮想アクセスポイントで送受信されるデータに対し、要求される前記ＱｏＳカテゴリと前記ＱｏＳレベル設定テーブルとに基づいて、前記システムＱｏＳレベル情報と、前記対象とする仮想アクセスポイントのＱｏＳレベル情報とを比較し、その比較結果に応じてＱｏＳ制御内容を決定するＱｏＳ制御決定手段とを備えたことを特徴とする。
【００１９】
本発明に係る無線ＬＡＮシステムのＱｏＳ制御方法は、無線ＬＡＮと有線ネットワークとの間を中継する１つの物理的なアクセスポイントを複数の論理的なアクセスポイントである仮想アクセスポイントとして運用可能なアクセスポイントを備え、前記アクセスポイントが前記無線ＬＡＮとの間で前記仮想アクセスポイント毎にデータを送受信する無線インタフェース手段と、前記有線ネットワークとの間で前記仮想アクセスポイント毎にデータを送受信する有線インタフェース手段とを有する無線ＬＡＮシステムのＱｏＳ制御方法であって、前記１つの物理的なアクセスポイントに対応するシステムＱｏＳレベル情報と、前記複数の仮想アクセスポイントに対応する複数のＱｏＳレベル情報とを、ＱｏＳ制御内容を識別するＱｏＳカテゴリ毎にＱｏＳレベル設定テーブルに設定するステップと、前記無線ＬＡＮと前記有線ネットワークとの間で、前記無線インタフェース手段と前記有線インタフェース手段とを介して前記複数の仮想アクセスポイントのうち対象とする仮想アクセスポイントで送受信されるデータに対し、要求される前記ＱｏＳカテゴリと前記ＱｏＳレベル設定テーブルとに基づいて、前記システムＱｏＳレベル情報と、前記対象とする仮想アクセスポイントのＱｏＳレベル情報とを比較し、その比較結果に応じてＱｏＳ制御内容を決定するＱｏＳ制御決定ステップとを備えたことを特徴とする。
【００２０】
本発明において、前記ＱｏＳ制御決定ステップは、前記無線ＬＡＮの利用者端末の識別情報と前記複数の仮想アクセスポイントの識別情報との対応関係が予め設定された対応テーブルに基づいて、前記無線インタフェース手段を介して前記無線ＬＡＮの利用者端末から送られてくるデータから、前記複数の仮想アクセスポイントのうち対象とする仮想ネットワークを特定するステップと、前記無線インタフェース手段を介して前記無線ＬＡＮの利用者端末からのＱｏＳ提供の要求を受けると、その要求に対応するＱｏＳカテゴリと前記ＱｏＳレベル設定テーブルとに基づいて、前記システムＱｏＳレベル情報と前記対象とする仮想アクセスポイントのＱｏＳレベル情報とを比較し、その比較結果に応じて前記ＱｏＳ提供の可否を決定するステップとを有してもよい。
【００２１】
前記ＱｏＳ制御決定ステップは、前記有線ネットワークに仮想的に構成された複数の仮想ＬＡＮと、前記複数の仮想アクセスポイントとの対応関係が予め設定された対応テーブルに基づいて、前記有線インタフェース手段を介して前記有線ネットワークから前記仮想ＬＡＮ毎に送られてくるデータから、前記複数の仮想アクセスポイントのうち対象とする仮想ネットワークを特定するステップと、前記有線インタフェース手段を介して前記有線インタフェースからデータを受信すると、そのデータに含まれる所定のＱｏＳ情報で決まるＱｏＳカテゴリと前記ＱｏＳレベル設定テーブルとに基づいて、前記システムＱｏＳレベル情報と前記対象とする仮想アクセスポイントのＱｏＳレベル情報とを比較し、その比較結果に応じて前記要求されるＱｏＳカテゴリによるＱｏＳ制御の可否を決定するステップとを有してもよい。
【発明の効果】
【００２２】
本発明によれば、１つのＡＰ内で定義された複数の論理的なＡＰ毎に利用可能なＱｏＳの制御が可能になり、１つのＡＰ内で柔軟なＱｏＳ提供が可能になる。
【発明を実施するための最良の形態】
【００２３】
次に、本発明に係る無線ＬＡＮシステム、そのＱｏＳ制御方法、及びアクセスポイントを実施するための最良の形態について図面を参照して詳細に説明する。
【実施例】
【００２４】
図１には、本発明の一実施例としての無線ＬＡＮシステムの全体構成が示されている。同図に示す無線ＬＡＮシステムは、アクセスポイント（以下、「ＡＰ」と略称する）１０と、このＡＰ１０との間で無線ＬＡＮに従い通信を行う複数の加入者端末（以下、「ＳＴＡ」と略称する）２０〜２０（ＳＴＡ１〜ｋ）とを備える。ＡＰ１０は、有線ＬＡＮを介してＶＬＡＮ（Virtual LAN：仮想ＬＡＮ）スイッチ３０経由で複数の有線ネットワーク４０〜４０（１〜ｎ）に接続される。各有線ネットワーク４０〜４０には、図の例ではサーバや端末ＰＣ等の端末５０〜５０や、ＩＰ網６０が接続されている。
【００２５】
ＡＰ１０は、無線信号の送受信制御及びＱｏＳ制御を行うハードウェアとソフトウェアと、１つの物理ＡＰを複数の論理的なＡＰ（仮想ＡＰ）のように運用する機能、すなわち仮想ＡＰ機能を備える。また、このＡＰ１０は、無線ＬＡＮと有線ＬＡＮとのインタフェース機能を有し、このインタフェース機能により、加入者端末２０と、有線ＬＡＮ側に位置するサーバや端末ＰＣ等の端末５０との間のデータ通信を中継する。ＡＰ１０の仮想ＡＰ機能を用いて運用される複数の仮想ＡＰ１１〜１１（ＶＡＰ１〜ｍ）は、複数のＡＰとしてふるまうことができ、それぞれの仮想ＡＰ１１〜１１毎に認証・暗号方式を設定することができる。
【００２６】
ＳＴＡ２０は、ＡＰ１０に加入する端末であり、ノート型ＰＣ等のデータ端末と、このデータ端末にカードとして挿入または内蔵され、無線信号の送受信制御及びＱｏＳ制御を行うハードウェアとソフトウェアが搭載された無線ＬＡＮモジュールとから構成される。このＳＴＡ２０の加入とは、ＩＥＥＥ８０２．１１仕様に準拠した帰属と、その後に実施する認証を合わせたものである。認証するための方法には様々な方法があり、本発明では特に限定するものではない。
【００２７】
ＳＴＡ２０は、ＡＰ１０内の各仮想ＡＰ１１〜１１（ＶＡＰ１〜ｍ）に割り当てられたＳＳＩＤ（Service Set ID）を指定することで加入する仮想ＡＰ１１を選択し、その結果、ＡＰ１０内で仮想ＡＰ１１とＳＴＡ２０のＭＡＣアドレスが関連付けられる。このＳＴＡ２０は、各仮想ＡＰ１１〜１１にあらかじめ割り当てられたタグＩＤ（ＶＬＡＮタグＩＤ）に基づくＶＬＡＮを通して有線ネットワーク４０〜４０（１〜ｎ）と通信する。
【００２８】
図２は、ＡＰ１０の内部構成例を示す。
【００２９】
同図に示すＡＰ１０は、ＳＴＡ２０との間で仮想ＡＰ１１毎に通信を行う無線インタフェース部１と、有線ＬＡＮとの間で仮想ＡＰ１１毎に通信を行う有線インタフェース部３と、両インタフェース１、３間に接続される主処理部（本発明のＱｏＳ制御決定手段を成す）２と、この主処理部２に接続されるＡＰ保守管理部４とを備える。
【００３０】
ＡＰ保守管理部４は、オペレータからの監視制御のコマンドを処理し、主処理部２に対して、ＱｏＳカテゴリ別にＡＰ１０としてのシステムＱｏＳレベルと仮想ＡＰ１１毎のＱｏＳレベルの設定、ＳＳＩＤ（Service Set Identifier）と仮想ＡＰ１１の対応情報の設定、そしてＶＬＡＮタグＩＤと仮想ＡＰとの対応情報の設定を行う機能を備える。
【００３１】
有線インタフェース部３は、有線ＬＡＮとの間でデータの送受信を行い、Ｅｔｈｅｒｎｅｔ（登録商標）仕様及びＩＥＥＥ８０２．１Ｑ仕様のプロトコル処理を行う機能を備え、受信フレームを主処理部２に送信する。
【００３２】
無線インタフェース部１は、ＳＴＡ２０との間で無線信号の送受信を行うとともに、無線ＬＡＮプロトコル処理及びＱｏＳ制御を行う機能を備え、ＳＴＡ２０の加入時に指定したＳＳＩＤをＳＴＡ２０のＭＡＣアドレスとともに記憶する機能を備え、フレームを受信すると受信フレームとともにそのフレームの送信元ＭＡＣアドレスに対応するＳＳＩＤを主処理部２に送信する機能を備える。さらに、ＳＴＡ２０からＱｏＳ提供要求メッセージを受信した場合には、そのメッセージとともにそのメッセージの送信元ＭＡＣアドレスに対応するＳＳＩＤを主処理部２に通知し、主処理部２からはその返信であるＱｏＳ提供応答メッセージを受信して、ＳＴＡ２０にＱｏＳ提供応答メッセージを送信する。
【００３３】
主処理部２は、有線インタフェース部３、無線インタフェース部１、ＡＰ保守管理部４の各々から受信するデータをどの仮想ＡＰ１１のものであるかを識別し、有線インタフェース部１、無線インタフェース部３、ＡＰ保守管理部４に割り振って送るデータ中継機能を備える。
【００３４】
主処理部２で保持するＱｏＳレベル情報を図３に、ＳＳＩＤと仮想ＡＰ１１の対応情報を図４に、ＶＬＡＮタグＩＤと仮想ＡＰ１１の対応情報を図５に示す。
【００３５】
図３に示すＱｏＳレベル情報（ＱｏＳレベル設定テーブル）２ａには、ＡＰ１０としてのシステムＱｏＳレベルと、仮想ＡＰ１１（仮想ＡＰ１〜ｍ）毎のＱｏＳレベル（仮想ＡＰ１ＱｏＳレベル〜仮想ＡＰｍＱｏＳレベル）とが、ＷＭＭのＱｏＳカテゴリ、すなわちＶＯＩＣＥ（ＡＣ＿ＶＯ）と、ＶＩＤＥＯ（ＡＣ＿ＶＩ））別に設定されている。図中の例では、システムＱｏＳレベルは、ＡＣ＿ＶＯ＝２、ＡＣ＿ＶＩ＝２に設定されている。また、仮想ＡＰ１ＱｏＳレベルは、ＡＣ＿ＶＯ＝５、ＡＣ＿ＶＩ＝１、仮想ＡＰ２ＱｏＳレベルは、ＡＣ＿ＶＯ＝１、ＡＣ＿ＶＩ＝１、仮想ＡＰ３ＱｏＳレベルは、ＡＣ＿ＶＯ＝３、ＡＣ＿ＶＩ＝１、仮想ＡＰｍＱｏＳレベルは、ＡＣ＿ＶＯ＝３、ＡＣ＿ＶＩ＝３にそれぞれ設定されている。
【００３６】
図４に示すＳＳＩＤと仮想ＡＰの対応情報（対応テーブル）２ｂには、ＳＳＩＤ  ＮＥＴ１〜ｍと、仮想ＡＰ番号１〜ｍとが互いに対応付けて設定されている。図中の例では、ＳＳＩＤ  ＮＥＴ１が仮想ＡＰ番号１に、ＳＳＩＤ  ＮＥＴ２が仮想ＡＰ番号２に、ＳＳＩＤ  ＮＥＴ３が仮想ＡＰ番号３に、ＳＳＩＤ  ＮＥＴ４が仮想ＡＰ番号４に、ＳＳＩＤ  ＮＥＴｍが仮想ＡＰ番号ｍにそれぞれ対応付けて設定されている。
【００３７】
図５に示すＶＬＡＮタグＩＤと仮想ＡＰの対応情報（対応テーブル）２ｃは、ＶＬＡＮタグＩＤ１〜ｍと、仮想ＡＰ番号１〜ｍとが互いに対応付けて設定されている。図中の例では、ＶＬＡＮタグＩＤ１が仮想ＡＰ番号１に、ＶＬＡＮタグＩＤ２が仮想ＡＰ番号２に、ＶＬＡＮタグＩＤ３が仮想ＡＰ番号３に、ＶＬＡＮタグＩＤ４が仮想ＡＰ番号４に、ＶＬＡＮタグＩＤｍが仮想ＡＰ番号ｍにそれぞれ対応付けて設定されている。
【００３８】
また、主処理部２は、前述した図１０に示すＱｏＳ情報（ＣｏＳ及びＴｏＳ）とＱｏＳカテゴリとの対応情報（対応テーブル）２ｄも保持する。図１０の例では、図中の例では、ＣｏＳ＝１、２と、ＴｏＳ＝０ｘ２０、０ｘ４０とが、ＡＣ＿ＢＫに、ＣｏＳ＝０、３と、ＴｏＳ＝０ｘ００、０ｘ６０とが、ＡＣ＿ＢＥに、ＣｏＳ＝４、５と、ＴｏＳ＝０ｘ９０、０ｘ８８、０ｘＡ０とが、ＡＣ＿ＶＩに、ＣｏＳ＝６、７と、ＴｏＳ＝０ｘＣ０、０ｘＢ８、０ｘＥ０とが、ＡＣ＿ＶＯにそれぞれ対応付けて設定されている。
【００３９】
主処理部２は、有線インタフェース部３から、あるＱｏＳカテゴリのフレームを受信した場合、図１０に示す対応情報ｄ２に基づいて、そのフレーム内のＣｏＳ情報（Class of Service：ＶＬＡＮヘッダのプライオリティ情報）やＴｏＳ情報（Type of Service：ＩＰヘッダのＴｏＳ情報）を対応するＱｏＳカテゴリに変換する。また、図５に示す対応情報２ｃに基づいて、受信されたフレームのＶＬＡＮタグＩＤから仮想ＡＰを特定する。そして、その仮想ＡＰに対して、上記で変換されたＱｏＳカテゴリのフレーム送信が許可されているか否かを、図３に示すＱｏＳレベル情報２ａに基づいて、該当ＱｏＳカテゴリのシステムＱｏＳレベルと仮想ＡＰ  ＱｏＳレベルの比較で確認し、許可されていればそのままのＱｏＳカテゴリのフレームとして無線インタフェース部１へ送信し、許可されていなければＱｏＳ提供なし（ベストエフォート）のアクセスカテゴリのフレームとして無線インタフェース部１へ送信する。
【００４０】
また、主処理部２は、無線インタフェース部１から、あるＱｏＳカテゴリのＱｏＳ提供要求をその送信元ＭＡＣアドレスに対応するＳＳＩＤと共に受信した場合、図４に示す対応情報２ｂに基づいて、ＳＳＩＤから仮想ＡＰを特定する。そして、その仮想ＡＰに対して、上記で要求されているＱｏＳカテゴリの提供が許可されているか否かを、図３に示すＱｏＳレベル情報２ａに基づいて、該当ＱｏＳカテゴリのシステムＱｏＳレベルと仮想ＡＰ  ＱｏＳレベルの比較で確認し、確認結果をＱｏＳ提供応答として無線インタフェース部１に送信する。
【００４１】
上述した主処理部２で用いるＱｏＳレベル値の範囲やＱｏＳ提供可否の判定の方法については、特に制限は無いが、本実施例では簡単な方法として、ＱｏＳのレベル値の範囲を１〜５とし、判定条件を（仮想ＡＰ  ＱｏＳレベル値）≧（システムＱｏＳレベル値）ならば許可、（仮想ＡＰ  ＱｏＳレベル値）＜（システムＱｏＳレベル値）ならば、不許可と判定するものを採用している。
【００４２】
次に、図６を参照して本実施例の動作について詳細に記述する。
【００４３】
図６には、ＡＰ１０がＳＴＡ２０（ＳＴＡ１）から帰属要求（Association Request）を受けて帰属応答をＳＴＡ１に受信し、その後にＳＴＡ１からＶＯＩＣＥのＱｏＳ提供要求を受けてＱｏＳ提供に対する応答を送信するまでの動作例を示す。ＡＰ１０の主処理部２には、オペレータからＡＰ保守管理部４を通して図３から図５に示す各情報２ａ〜２ｃが登録されているものとする。
【００４４】
まず、ＳＴＡ１がＡＰ１０に対して帰属要求を行うと（ステップＳｔ１）、ＡＰ１０の無線インタフェース部１では、帰属受付処理を行い、帰属時に使用されたＳＳＩＤ情報であるＳＳＩＤ＿ＮＥＴ１とともにＳＴＡ１のＭＡＣアドレスを帰属情報として保存し（ステップＳｔ２）、帰属応答をＳＴＡ１に送信する（ステップＳｔ３）。これでＳＴＡ１は、ＡＰ（仮想ＡＰ１）に加入した状態となる。
【００４５】
その後、ＳＴＡ１内でＶｏＩＰ（Voice over IP）アプリケーションの起動等によって、ＶＯＩＣＥのＱｏＳが必要になると、ＳＴＡ１はＶＯＩＣＥのＱｏＳカテゴリ（ＡＣ＿ＶＯ）を要求するためのＱｏＳ提供要求をＡＰに送信する（ステップＳｔ４）。
【００４６】
これを受信したＡＰ１０の無線インタフェース部１では、ＳＴＡ１からのＶＯＩＣＥのＱｏＳカテゴリを要求するＱｏＳ提供要求をそのＭＡＣアドレスに対応するＳＳＩＤ情報であるＳＳＩＤ＿ＮＥＴ１と共に主処理部２に送る（ステップＳｔ５）。そのＱｏＳ提供要求を受けると、主処理部２は、図４に示す対応情報２ｂに基づいて、ＳＴＡ１の帰属したＳＳＩＤ情報であるＳＳＩＤ＿ＮＥＴ１から加入している仮想ＡＰ１を特定する（ステップＳｔ６）。さらに、主処理部２は、要求されたＡＣ＿ＶＯについて、図３に示すＱｏＳレベル情報２ａに基づいて、その仮想ＡＰ１のＱｏＳレベルとシステムのＱｏＳレベルを比較する（ステップＳｔ７）。図３の例では、要求されたＡＣ＿ＶＯは、システムのＱｏＳレベル＝２に対して、仮想ＡＰ１のＱｏＳレベル＝５であり、この比較結果として仮想ＡＰ１のＱｏＳレベルがシステムのＱｏＳレベル以上となる。このため、主処理部２は、ＡＣ＿ＶＯのＱｏＳ提供を許可し、そのＱｏＳ提供許可のＱｏＳ提供応答を無線インタフェース部１を介してＳＴＡ１に対して送信する（ステップＳｔ８、Ｓｔ９）。
【００４７】
一方、図７には、ＳＴＡ１宛のデータ受信をしてから、そのデータのＩＰヘッダのＴｏＳフィールドを参照して、仮想ＡＰ１に許可されているＱｏＳカテゴリがどうかを確認してからＳＴＡ１に対してデータ送信を行うまでの動作を示している。
【００４８】
まず、ＡＰ１０は、仮想ＡＰ１配下のＳＴＡ１宛のデータを、有線インタフェース部３を介して受信すると（ステップＳｔ１１）、ＡＰ１０の主処理部２は、図５に示す対応情報２ｃに基づいて、データとともに送られてきたＶＬＡＮのタグＩＤであるＶＬＡＮタグＩＤ１から対応するＳＳＩＤ情報であるＳＳＩＤ＿ＮＥＴ１を特定し、図４に示す対応情報２ｂに基づいて、特定されたＳＳＩＤ＿ＮＥＴ１から仮想ＡＰ１を特定する（ステップＳｔ１２）。そして、主処理部２は、図５に示す対応情報２ｃに基づいて、データのＩＰヘッダに含まれるＴｏＳ情報＝０ｘＥ０から無線インタフェース部１へ送信するＱｏＳカテゴリであるＡＣ＿ＶＯを特定する。
【００４９】
その後、主処理部２は、特定されたＡＣ＿ＶＯについて、図３に示すＱｏＳレベル情報２ａに基づいて、仮想ＡＰ１のＱｏＳレベルとシステムのＱｏＳレベルを比較して、仮想ＡＰ１に許可されているＱｏＳカテゴリであるかを確認する（ステップＳｔ１３）。図３の例では、特定されたＡＣ＿ＶＯは、システムのＱｏＳレベル＝２に対して、仮想ＡＰ１のＱｏＳレベル＝５であり、その結果として仮想ＡＰ１のＱｏＳレベルがシステムのＱｏＳレベル以上となる。このため、主処理部２は、ＡＣ＿ＶＯのＱｏＳ提供を許可し、そのＡＣ＿ＶＯのＱｏＳカテゴリでＳＴＡ１宛にデータ送信を行う。
【００５０】
図８は、上記動作によりＡＰ１０の中で各仮想ＡＰ１１〜１１（ＶＡＰ１〜ｍ）に許可されたＱｏＳカテゴリを示すものである。この例では、図３に示すＱｏＳレベル情報２ａのシステムＱｏＳレベル（ＡＣ＿ＶＯ＝２、ＡＣ＿ＶＩ＝２）及び仮想ＡＰ１１のＱｏＳレベル（仮想ＡＰ１ＱｏＳレベル：ＡＣ＿ＶＯ＝５、ＡＣ＿ＶＩ＝１、仮想ＡＰ２ＱｏＳレベル：ＡＣ＿ＶＯ＝１、ＡＣ＿ＶＩ＝１、仮想ＡＰｍＱｏＳレベル：ＡＣ＿ＶＯ＝３、ＡＣ＿ＶＩ＝３）を用いている。
【００５１】
まず、仮想ＡＰ１では、ＡＣ＿ＶＯは、仮想ＡＰ１ＱｏＳレベルがシステムＱｏＳレベル以上となり、ＡＣ＿ＶＩは、仮想ＡＰ１ＱｏＳレベルがシステムＱｏＳレベルよりも小さい。このため、仮想ＡＰ１では、ＡＣ＿ＶＯのＱｏＳ提供が許可され、ＡＣ＿ＶＩのＱｏＳ提供は許可されない。よって、上記の動作説明と同様な手順をたどる中で、配下のＳＴＡ１からＡＣ＿ＶＯやＡＣ＿ＶＩのＱｏＳ提供要求があると、ＶＯＩＣＥのみ許可されない。また、配下のＳＴＡ１へＡＣ＿ＶＯやＡＣ＿ＶＩに相当するＴｏＳフィールドをＩＰヘッダに持つデータ送信要求があると、ＶＯＩＣＥのみ許可される。
【００５２】
また、仮想ＡＰ２では、ＡＣ＿ＶＯ、ＡＣ＿ＶＩともに、仮想ＡＰ２のＱｏＳレベルがシステムのＱｏＳレベルよりも小さいため、ＱｏＳ提供が許可されていない。よって、上記の動作説明と同様な手順をたどる中で、配下のＳＴＡ２からＡＣ＿ＶＯやＡＣ＿ＶＩのＱｏＳ提供要求があっても、いずれも許可されず、配下のＳＴＡ２へＡＣ＿ＶＯやＡＣ＿ＶＩに相当するＴｏＳフィールドをＩＰヘッダに持つデータ送信要求があっても、ベストエフォートで配下のＳＴＡ２に送信されることになる。
【００５３】
さらに、仮想ＡＰｍでは、ＡＣ＿ＶＯ、ＡＣ＿ＶＩともに、仮想ＡＰｍＱｏＳレベルがシステムＱｏＳレベル以上となるため、ＱｏＳ提供が許可される。よって、上記の動作説明と同様な手順をたどる中で、配下のＳＴＡｋ−１からＡＣ＿ＶＯやＡＣ＿ＶＩのＱｏＳ提供要求があると、いずれも許可され、配下のＳＴＡｋ−１へＡＣ＿ＶＯやＡＣ＿ＶＩに相当するＴｏＳフィールドをＩＰヘッダに持つデータ送信要求があると、ＶＯＩＣＥやＶＩＤＥＯのＱｏＳカテゴリで配下のＳＴＡｋ−１に送信されることになる。
【００５４】
上記の実施例では、ＱｏＳレベルを運用中に変更しないものであったが、ＡＰの状態や時間帯によって各仮想ＡＰのＱｏＳレベルを変更することで、より柔軟な運用が可能となる。これを図示したものが図９である。
【００５５】
図９では、図８と同様の例において、ＱｏＳレベル情報２ａのシステムＱｏＳレベルを時間帯やＡＰの混雑状況でＡＰのシステムＱｏＳレベルを変更している。図中の例では、時間帯Ａ、時間帯Ｂ、混雑時（統計情報による判断）が設定されている。この場合、ＱｏＳレベル情報２ａのシステムＱｏＳレベルは、時間帯ＡではＡＣ＿ＶＯ＝１、ＡＣ＿ＶＩ＝２、時間帯ＢではＡＣ＿ＶＯ＝２、ＡＣ＿ＶＩ＝２、混雑時ではＡＣ＿ＶＯ＝３、ＡＣ＿ＶＩ＝３にそれぞれ設定されている。また、仮想ＡＰ１ＱｏＳレベルは、ＡＣ＿ＶＯ＝２、ＡＣ＿ＶＩ＝１、仮想ＡＰ２ＱｏＳレベルは、ＡＣ＿ＶＯ＝１、ＡＣ＿ＶＩ＝０、仮想ＡＰｍＱｏＳレベルは、ＡＣ＿ＶＯ＝３、ＡＣ＿ＶＩ＝２にそれぞれ設定されている。
【００５６】
この場合、仮想ＡＰ１では、ＡＣ＿ＶＯは、混雑時は仮想ＡＰ１ＱｏＳレベルがシステムＱｏＳレベルよりも小さくなり許可されないが、それ以外の時間帯は許可される。また、ＡＣ＿ＶＩは、時間帯Ａ、時間帯Ｂ、混雑時はシステムＱｏＳレベル小さくなり許可されないが、それ以外の時間帯は許可される。
【００５７】
また、仮想ＡＰ２では、ＡＣ＿ＶＯは、時間帯Ｂ及び混雑時は仮想ＡＰ１ＱｏＳレベルがシステムＱｏＳレベルよりも小さくなり許可されないが、それ以外の時間帯Ｑを含む時間帯は許可される。また、ＡＣ＿ＶＩは、時間帯Ａ、時間帯Ｂ、混雑時を含むいずれの時間帯も、システムＱｏＳレベル小さくなり許可されない。
【００５８】
さらに、仮想ＡＰｍでは、ＡＣ＿ＶＯは、時間帯Ａ、時間帯Ｂ、混雑時を含むいずれの時間帯も、仮想ＡＰ１ＱｏＳレベルがシステムＱｏＳレベル以上となり許可されない。また、ＡＣ＿ＶＩは、混雑時はシステムＱｏＳレベルが小さくなり許可されないが、それ以外の時間帯Ａ、時間帯Ｂを含む時間帯は許可される。
【００５９】
図９の例のように、時間帯やＡＰ１０の混雑状況でＡＰ１０のシステムＱｏＳレベルを変更することで、仮想ＡＰ毎に柔軟なＱｏＳ制御を行うことができる。なお、この例では、システムＱｏＳレベルのみを変更しているが、運用に応じて、仮想ＡＰ１１のＱｏＳレベルのみを変更したり、システムＱｏＳレベルと仮想ＡＰ１１のＱｏＳレベルの両方を変更したりすることも可能である。
【００６０】
以上説明したように、本実施例の無線ＬＡＮシステムは、以下のような特徴を有している。
【００６１】
ＡＰ１０は、仮想ＡＰ２０〜２０（ＶＡＰ１〜ｍ）に論理的に分割して運用される。このＡＰ１０は、図２に示すように、ＱｏＳの内容を識別するＱｏＳカテゴリ（例えば、ＶＩＤＥＯ、ＶＯＩＣＥ）別のレベルを、ＡＰ１０全体のシステムＱｏＳレベルとＶＡＰ毎の仮想ＡＰ  ＱｏＳレベルとして保持するＱｏＳレベル情報（ＱｏＳレベル設定テーブル）２ａを備える。このテーブルに基づいて、ＡＰ１０は、あるＱｏＳカテゴリに対して各ＶＡＰがＱｏＳを提供するかどうかは、システムＱｏＳレベルと仮想ＡＰ  ＱｏＳレベルの比較によって決定する。これらのＱｏＳレベルは、すべて運用中に変更可能である。
【００６２】
このＡＰ１０の構成において、ある加入者端末ＳＴＡ１がＶＡＰ１に加入し、ＩＥＥＥ８０２．１１ｅ仕様のサブセットであるＷＭＭ（Wi-Fi Multimedia）仕様の手順等に基づき、あるカテゴリのＱｏＳを要求すると、ＡＰ１０は、図２に示すテーブルに基づいて、該当するＶＡＰ１の仮想ＡＰ  ＱｏＳレベルとシステムＱｏＳレベルを比較し、このレベル値の比較でＳＴＡ１に対するＱｏＳ割付の可否を決定し、その結果をＳＴＡ１に通知する。
【００６３】
また、有線ネットワーク側からＡＰ１０が受信したデータのうちＶＡＰ１配下のＳＴＡ１宛のものについては、ＡＰ１０は、その受信データにマーキングされているＱｏＳ情報がＶＡＰ１で許可されているかどうかを、図２に示すテーブルに基づいて、ＶＡＰ１の仮想ＡＰ  ＱｏＳレベルとシステムＱｏＳレベルを比較し、このレベル値の比較で要求されたＱｏＳを提供するかベストエフォート処理にするかを決定して、ＡＰ１０から該当ＳＴＡ１宛に転送される。
【００６４】
すなわち、本実施例では、１つの物理的なＡＰで複数の論理的なＡＰのように運用可能な機能である仮想ＡＰ機能を有する無線ＬＡＮシステム構成において、物理的なＡＰと論理的なＡＰである仮想ＡＰ毎に、それぞれ運用中に変更可能なシステムＱｏＳレベルと仮想ＡＰ  ＱｏＳレベルをＱｏＳの種類別に備え、このシステムＱｏＳレベルと仮想ＡＰ  ＱｏＳレベルの比較を行うことで、１つの物理ＡＰ上のＱｏＳ制御を仮想ＡＰ毎に運用中に可能にしている。
【００６５】
従って、本実施例によれば、１つのＡＰ上で運用される仮想ＡＰ毎に異なるＱｏＳ制御を提供し、かつその制御内容も運用中に変更できるので、１つのＡＰで柔軟なＱｏＳを提供する無線ＬＡＮアクセスサービスを実現することができる。
【００６６】
以上、本発明の一実施例を詳細に説明したが、本発明は、代表的に例示した上述の実施例に限定されるものではなく、当業者であれば、特許請求の範囲の記載内容に基づき、本発明の要旨を逸脱しない範囲内で種々の態様に変形、変更することができる。これらの変形例や変更例も本発明の権利範囲に属するものである。
【００６７】
例えば、前述した本実施例に係る無線ＬＡＮシステムのアクセスポイントを構成する各部の少なくとも一部の機能を、プログラムコードを用いて実現する場合、かかるプログラムコード及びこれを記録する記録媒体は、本発明の範疇に含まれる。この場合のプログラムコードは、オペレーティングシステムや他のアプリケーションソフト等と共同して上記機能が実現される場合は、それらのプログラムコードも含まれる。また、記録媒体としては、ハードディスクやＲＯＭのほか、フレキシブルディスク、光ディスク、光磁気ディスク、ＣＤ−ＲＯＭ、磁気テープ、不揮発性のメモリカード等を用いることができる。
【産業上の利用可能性】
【００６８】
本発明は、１つの物理的なＡＰで複数の論理的なＡＰのように運用可能な機能である仮想ＡＰ機能を有するＡＰ及びこれを用いた無線ＬＡＮシステムの用途にも適用できる。
【図面の簡単な説明】
【００６９】
【図１】本発明の実施例に係る無線ＬＡＮシステムの全体構成を示す図である。
【図２】本発明の実施例において、アクセスポイントの内部構成を示すブロック図である。
【図３】本発明の実施例において、ＱｏＳレベル情報（ＱｏＳレベル設定テーブル）の例を示す図である。
【図４】本発明の実施例において、ＳＳＩＤと仮想ＡＰとの対応情報（対応テーブル）の例を示す図である。
【図５】本発明の実施例において、ＶＬＡＮタグＩＤと仮想ＡＰとの対応情報（対応テーブル）の例を示す図である。
【図６】本発明の実施例において、無線ＬＡＮの利用者端末からのＱｏＳ提供要求に応答する場合の正常処理フローを示す図である。
【図７】本発明の実施例において、有線ネットワーク側からのデータを受信して利用者端末に送信する場合の正常処理フローを示す図である。
【図８】本発明の実施例において、図６及び図７に示す正常処理に基づいて実施される仮想ＡＰ運用の例を示す図である。
【図９】本発明の実施例において、図６及び図７に示す正常処理に基づいて実施される時間帯やＡＰの混雑状況に応じて変更可能な仮想ＡＰ運用の例を示す図である。
【図１０】データのＱｏＳ情報とＱｏＳカテゴリとのマッピングの例を示す図である。
【符号の説明】
【００７０】
１  無線インタフェース部
２  主処理部
３  有線インタフェース部
４  ＡＰ保守管理部
１０  ＡＰ
１１  仮想ＡＰ
２０  加入者端末
３０  ＶＬＡＮスイッチ
４０  有線ネットワーク
５０  端末
６０  ＩＰ網
【図１】
2007266942.tif 000003
【図２】
2007266942.tif 000004
【図３】
2007266942.tif 000005
【図４】
2007266942.tif 000006
【図５】
2007266942.tif 000007
【図６】
2007266942.tif 000008
【図７】
2007266942.tif 000009
【図８】
2007266942.tif 000010
【図９】
2007266942.tif 000011
【図１０】
2007266942.tif 000012